(57)【要約】【課題】  分割記録された画像データの一部を欠くことなく全ての画像データの所在が常に把握可能なカメラの画像データ処理方法を提供する。【解決手段】  被写体を撮像して画像データを得る撮像手段と、前記画像データを記録する複数の記録手段と、を備え、前記画像データを前記複数の記録手段に分割して記録可能なカメラにおいて、分割記録された画像データの内の一つの画像データに所定の処理を行うと、分割記録された他の画像データにも同一の処理を行うことを特徴とするカメラの画像データ処理方法。【選択図】  図５
2005136924.tif 000002
【特許請求の範囲】
【請求項１】
被写体を撮像して画像データを得る撮像手段と、前記画像データを記録する複数の記録手段と、を備え、前記画像データを前記複数の記録手段に分割して記録可能なカメラにおいて、分割記録された画像データの内の一つの画像データに所定の処理を行うと、分割記録された他の画像データにも同一の処理を行うことを特徴とするカメラの画像データ処理方法。
【請求項２】
前記所定の処理を行う際に、分割記録された他の画像データについて、同一の処理を行う画像データと、行わない画像データに選択可能としたことを特徴とする請求項１記載のカメラの画像データ処理方法。
【請求項３】
前記所定の処理はデータ消去としたことを特徴とする請求項１、２記載のカメラの画像データ処理方法。
【請求項４】
前記所定の処理はデータ移動としたことを特徴とする請求項１、２記載のカメラの画像データ処理方法。
【請求項５】
前記所定の処理はデータコピーとしたことを特徴とする請求項１、２記載のカメラの画像データ処理方法。
【請求項６】
前記所定の処理はデータ再生としたことを特徴とする請求項１、２記載のカメラの画像データ処理方法。
【請求項７】
前記所定の処理が動画データの再生の場合、分割記録された他の動画データを含めて時間軸に沿って連続して再生することを特徴とする請求項１、２記載のカメラの画像データ処理方法。
【請求項８】
前記動画データを時間軸に沿って連続して再生する場合、再生開始動画データと再生終了動画データを選択可能としたことを特徴とする請求項７記載のカメラの画像データ処理方法。
【請求項９】
被写体を撮像して画像データを得る撮像手段と、前記画像データを記録する複数の記録手段と、を備え、前記画像データを前記複数の記録手段に分割して記録可能なカメラにおいて、分割記録された画像データの内の一つの画像データが記録された記録手段をカメラから取り出す場合は、別の記録手段に分割記録された画像データを有することを表示することを特徴とするカメラの画像データ処理方法。
【請求項１０】
被写体を撮像して画像データを得る撮像手段と、前記画像データを記録する複数の記録手段と、を備え、前記画像データを前記複数の記録手段に分割して記録可能なカメラにおいて、分割記録された画像データを有する記録手段をカメラから取り出し不能としたことを特徴とするカメラの画像データ処理方法。
【請求項１１】
被写体を撮像して画像データを得る撮像手段と、前記画像データを記録する複数の記録手段と、を備え、前記画像データを前記複数の記録手段に分割して記録可能なカメラにおいて、分割記録された画像データの内の一つの画像データに所定の処理を行うと、分割記録された他の画像データにも同一の処理を行うことを特徴とするカメラの画像データ処理装置。
【請求項１２】
請求項１から１０に記載の方法を実行させるデータ処理プログラム。
【発明の詳細な説明】
【技術分野】
【０００１】
本発明は、例えば撮像素子を用いて光学像を電気信号に変換し、静止画や動画の画像データを記録媒体に記録するデジタルカメラ等に適用される画像データの処理技術に関する。
【背景技術】
【０００２】
近年、デジタルカメラの高画素化、高画質化が急速に進んでいる。例えばＣＣＤやＣＯＭＳ等の撮像素子は、僅か数年前には１００万画素程度だったものが１０００万画素を超えるものが登場している。その結果、一画像当たり３００ＫＢ（キロバイト）程度だった画像データサイズは、３０ＭＢ（メガバイト）を超えるものもあるなど、画像データサイズも増大している。
【０００３】
また静止画だけでなく、モーションＪＰＥＧ等の規格に沿って静止画像の記録を高速且つ連続的に行う手法により動画を記録可能なデジタルカメラも出現している。その画像サイズもＳＱＶＧＡ（１６０×１２０画素）で６０ＫＢ／秒程度だったものが、ＶＧＡ（６４０×４８０画素）で１ＭＢ／秒程度のものも登場しており、静止画同様に画像データサイズが増大している。
【０００４】
デジタルカメラ本体には画像データを記録する手段として用いられる記録媒体（メディア）を挿入するためのスロットが設けられている。以前は記録媒体にはＦＤ（フレキシブルディスク）等が用いられていたが、容量が１〜４ＭＢ程度であるため増大化した画像データを1個の記録媒体に記録できないという問題があった。
【０００５】
一方、近年デジタルカメラ同様に記録媒体の容量も大容量化が進んでおり、ＣＦ（コンパクトフラッシュ）(登録商標)、ＭＤ（マイクロドライブ）等の記録媒体においては１ＧＢの容量をもつものも登場している。しかし、１ＧＢの記録媒体を使用しても、静止画を最高画質で撮影すると３０コマ程度しか撮影できない。また動画ならば連続で１６分程度しか撮影できない。より多く撮影するためには複数の記録媒体を持ち、スロットに挿入した記録媒体に記録ができなくなると未記録の記録媒体と交換する必要がある。
【０００６】
そこで前記問題点を改善するために、カメラ本体に複数の記録媒体を装着可能とし、装着された複数の記録媒体に画像データを分割して記録可能としたカメラの画像データ記録方法が提案されている。
【特許文献１】特開２０００−１１５６３１号公報
【発明の開示】
【発明が解決しようとする課題】
【０００７】
しかしながら、前記提案では、分割記録された画像データの内のそれぞれを自由に消去可能なため、例えば静止画像を「左」、「中」、「右」と３分割した画像データの「中」の分割画像データを消去した場合、後から画像データを一体化する際に画像データが一体化できないといった問題が生じていた。
【０００８】
また、分割された画像データの一部を記録している記録媒体をカメラから取り出して別のカメラやパソコン等で使用したりすると、分割された画像データが何処に記録されているのか分からなくなってしまうといった問題が生じていた。
【０００９】
本発明はこのような事情に鑑みてなされたもので、カメラ本体に複数の記録媒体を備え、それら複数の記録媒体に画像データを分割して記録可能としたカメラにおいて、分割記録された画像データの一部を欠くことなく全部の所在が常に把握が可能なカメラの画像データ処理方法を提供することを目的とする。
【課題を解決するための手段】
【００１０】
上記の目的を達成するために、 請求項１の発明は、被写体を撮像して画像データを得る撮像手段と、前記画像データを記録する複数の記録手段と、を備え、前記画像データを前記複数の記録手段に分割して記録可能なカメラにおいて、分割記録された画像データの内の一つの画像データに所定の処理を行うと、分割記録された他の画像データにも同一の処理を行うことを特徴とする。この構成によれば、分割記録された画像データの一部を欠くことなく全部の所在が常に把握が可能なカメラの画像データ処理方法が実現できる。
【００１１】
請求項２の発明は、前記所定の処理を行う際に、分割記録された他の画像データについて、同一の処理を行う画像データと、行わない画像データに選択可能としたことを特徴とする。この構成によれば請求項１記載のカメラの画像データ処理方法が実現できる。
請求項３の発明は、前記所定の処理はデータ消去としたことを特徴とする。この構成によれば請求項１、２記載のメラの画像データ処理方法が実現できる。
【００１２】
請求項４の発明は、前記所定の処理はデータ移動としたことを特徴とする。この構成によれば請求項１、２記載のメラの画像データ処理方法が実現できる。
請求項５の発明は、前記所定の処理はデータコピーとしたことを特徴とする。この構成によれば請求項１、２記載のメラの画像データ処理方法が実現できる。
請求項６の発明は、前記所定の処理はデータ再生としたことを特徴とする。この構成によれば請求項１、２記載のメラの画像データ処理方法が実現できる。
請求項７の発明は、前記所定の処理が動画データの再生の場合、分割記録された他の動画データを含めて時間軸に沿って連続して再生することを特徴とする。この構成によれば請求項１、２記載のメラの画像データ処理方法が実現できる。
請求項８の発明は、前記動画データを時間軸に沿って連続して再生する場合、再生開始動画データと再生終了動画データを選択可能としたことを特徴とする。この構成によれば請求項７記載のメラの画像データ処理方法が実現できる。
請求項９の発明は、被写体を撮像して画像データを得る撮像手段と、前記画像データを記録する複数の記録手段と、を備え、前記画像データを前記複数の記録手段に分割して記録可能なカメラにおいて、分割記録された画像データの内の一つの画像データが記録された記録手段をカメラから取り出す場合は、別の記録手段に分割記録された画像データを有することを表示することを特徴とする。この構成によれば、分割記録された画像データの一部を欠くことなく全部の所在が常に把握が可能なカメラの画像データ処理方法が実現できる。
請求項１０の発明は、被写体を撮像して画像データを得る撮像手段と、前記画像データを記録する複数の記録手段と、を備え、前記画像データを前記複数の記録手段に分割して記録可能なカメラにおいて、分割記録された画像データを有する記録手段をカメラから取り出し不能としたことを特徴とする。この構成によれば、分割記録された画像データの一部を欠くことなく全部の所在が常に把握が可能なカメラの画像データ処理方法が実現できる。
【００１３】
被写体を撮像して画像データを得る撮像手段と、前記画像データを記録する複数の記録手段と、を備え、前記画像データを前記複数の記録手段に分割して記録可能なカメラにおいて、分割記録された画像データの内の一つの画像データに所定の処理を行うと、分割記録された他の画像データにも同一の処理を行うことを特徴とするカメラの画像データ処理装置。
【００１４】
請求項１から１０に記載の方法を実行させるデータ処理プログラム。
【発明の効果】
【００１５】
以上説明したように、請求項１の発明は、分割記録された画像データの内の一つの画像データに所定の処理を行うと、分割記録された他の画像データにも同一の処理を行うようにしたことにより、分割記録された画像データの一部を欠くことなく全部の所在が常に把握が可能なカメラの画像データ処理方法が実現できる。
【００１６】
請求項２の発明は、前記所定の処理を行う際に、分割記録された他の画像データについて、同一の処理を行う画像データと、行わない画像データに選択可能としたことにより、分割記録された画像データの内のユーザーが意図した画像データだけを同一処理可能な請求項１記載のカメラの画像データ処理方法が実現できる。
請求項３の発明は、前記所定の処理はデータ消去としたことにより、請求項１、２記載のメラの画像データ処理方法が実現できる。
【００１７】
請求項４の発明は、前記所定の処理はデータ移動としたことにより、請求項１、２記載のメラの画像データ処理方法が実現できる。
請求項５の発明は、前記所定の処理はデータコピーとしたことにより、請求項１、２記載のメラの画像データ処理方法が実現できる。
請求項６の発明は、前記所定の処理はデータ再生としたことにより、請求項１、２記載のメラの画像データ処理方法が実現できる。
請求項７の発明は、前記所定の処理が動画データの再生の場合、分割記録された他の動画データを含めて時間軸に沿って連続して再生することにより、請求項１、２記載のメラの画像データ処理方法が実現できる。
請求項８の発明は、前記動画データを時間軸に沿って連続して再生する場合、再生開始動画データと再生終了動画データを選択可能としたことにより、請求項７記載のメラの画像データ処理方法が実現できる。
請求項９の発明は、分割記録された画像データの内の一つの画像データが記録された記録手段をカメラから取り出す場合は、別の記録手段に分割記録された画像データを有することを表示することにより、分割記録された画像データの一部を欠くことなく全部の所在が常に把握が可能なカメラの画像データ処理方法が実現できる。
請求項１０の発明は、分割記録された画像データを有する記録手段をカメラから取り出し不能としたことにより、分割記録された画像データの一部を欠くことなく全部の所在が常に把握が可能なカメラの画像データ処理方法が実現できる。
【発明を実施するための最良の形態】
【００１８】
以下に本発明の実施例について説明する。
【実施例１】
【００１９】
以下、本発明の第１の実施例を図面を参照しながら説明する。図１は第１の実施例に係るデジタルカメラの構成を示すブロック図である。図１において、１はカメラ部の制御とカメラ全体の制御を行うＣＰＵ、２は画像データの各種制御を行うメモリコントローラ、３は各種制御を行うための設定・調整データ等を格納しているＥＥＰＲＯＭである。
【００２０】
１０はレンズ鏡筒で、ズームレンズ群１１、絞り１２、シャッター１３、フォーカスレンズ（群）１４を有している。
【００２１】
２０はズームレンズ１１を駆動するズーム駆動回路、２１は絞り１２を駆動する絞り駆動回路、２２はシャッター１３を駆動するシャッター駆動回路、２３はフォーカスレンズ１４を駆動するフォーカス駆動回路、２４はストロボ装置、２５はカメラを操作するための各種ボタン・ダイヤル等の操作ＳＷである。２６・２７は後述するスロット蓋を開くためのスロット蓋開ＳＷ（２６は第１スロット蓋開ＳＷ、２７は第２スロット蓋開ＳＷと称す）である。
【００２２】
３０はレンズ鏡筒１０を通過した光学像を電気信号に変換する撮像素子で４００８画素×２６７２画素＝１０，７０９，３７６画素のものが設けられている。３１は撮像素子３０から出力される画像信号をサンプルホールド及び自動ゲイン調整するＣＤＳ（相関２重サンプリング）／ＡＧＣ（自動ゲイン調整）回路、３２はＣＤＳ／ＡＧＣ回路３１のアナログ出力をデジタル信号に変換するＡ／Ｄ変換器、３３はＴＧ（タイミング発生）回路で、撮像素子３０に駆動信号、ＣＤＳ／ＡＧＣ回路３１にサンプルホールド信号、Ａ／Ｄ変換器３２にサンプルクロック信号を供給する。
３４はＡ／Ｄ変換器３２でデジタル変換された画像データ等を一時的に記録するためのＳＤＲＡＭ、３５は画像データをＹ／Ｃ（輝度信号／色差信号）分離、ホワイトバランス補正、γ補正等を行う画像処理回路、３６は画像データをＪＰＥＧ等の形式に従って圧縮したり、圧縮された画像データの伸張を行う画像圧縮／伸張回路である。
３７は画像データをアナログ信号に変換するＤ／Ａ変換器、３８は画像データを表示するＬＤＣである。
４０・４３は記録媒体とのＩ／Ｆ（インターフェイス）（４０は第１Ｉ／Ｆ、４３は第２Ｉ／Ｆと称す）、４１・４４は記録媒体との接続を行うスロット（４１は第１スロット、４４は第２スロットと称す）で、いずれもＣＦ ＴＹＰＥ１／２規格に準拠している。４
２・４５は画像データや音声データを記録する記録媒体であり、４２は記録容量１２８ＭＢのＣＦが、４５は記録容量１ＧＢのＭＤが装着されているものとする。
４６・４７はスロット及び記録媒体を保護するために設けられている蓋（４６は第１スロット蓋、４７は第２スロット蓋と称す）で、スロット蓋を閉じた状態においてスロット蓋開ＳＷ２６・２７を操作することによりロックが外れ開くことが可能となっている。４８はカメラ内部に固定されたメモリで、記録媒体４２・４５の空き容量がなくなった場合にでも最低一枚の静止画撮影が可能なように非常用として記録容量３２ＭＢが設けられている。
本実施例では記録媒体にはＣＦを用いているがこれに限定されずＳＭ（スマートメディア）、ＭＳ（メモリースティック）、光ディスク、光磁気ディスク等、様々な形態の記録媒体が使用可能であり、その場合は使用する記録媒体に応じたＩ／Ｆ及びスロットが設けられる。また記録容量や記録媒体の組み合わせも前記に限定されず、いかなる組み合わせでも構わない。また本実施例では取り外し可能な記録媒体を２系統装着可能としているが、３系統以上装着可能としても構わない。また本実施携帯では固定メモリを１つ設けているが、２つ以上設けても構わないし、設けなくても構わない。更には取り外し可能な記録媒体と固定記録媒体の組み合わせも本実施例に限定されず、いかなる組み合わせでも構わない。
【００２３】
５０は画像データをＮＴＳＣやＰＡＬ等のビデオ信号に変換するビデオ信号処理回路、５１はテレビ等の機器に接続するためのＡＶ端子、５２は音声入力用のマイク、５３はマイク５２からのアナログ音声信号のノイズ除去・デジタル変換等を行うマイク信号処理回路、５４はデジタル音声信号をオーディオ信号に変換するオーディオ信号処理回路、５５は音声出力用のスピーカーである。
【００２４】
５６はパソコン等と通信するためのＵＳＢ回路及びコネクタである。
【００２５】
６０は電源６１の電圧を各回路に必要な電圧に変換するＤＣ／ＤＣコンバータである。
【００２６】
図２はＣＦ４２及びＭＤ４５に記録されている画像データの模式図である。撮影された画像データはまずＣＦ４２から記録されて、ＣＦ４２の記録容量がなくなるとＭＤ４５に記録されるように設けられている。通常は「ｉｍｇ＿＊＊＊＊．＊＊＊」というファイル名で記録されるが、ＣＦ４２とＭＤ４５に分割して記録される場合は「ｉｍｇＳ＊＊＊＊．＊＊＊」というファイル名で記録される。
ここでは、ＣＦ４２に「ｉｍｇＳ０００１．ｒａｗ」とＭＤ４５に「ｉｍｇＳ０００２．ｒａｗ」というファイル名で分割画像データが記録されている。分割画像データは図３、４に示すように、画像データをファイル化するために付加された画像情報部分のアドレス００００１８０〜００００１８６、００００２００〜００００２０Ｅにそれぞれ本画像（分割前）データの情報を記載し、アドレス００００１Ｃ０〜００００１Ｃ６、００００２８０〜００００２９１にそれぞれ分割画像データの情報を記載してある。ここでは、「ｉｍｇＳ０００１．ｒａｗ」は本画像の上側半分、「ｉｍｇＳ０００２．ｒａｗ」は本画像の下側半分に分割されている。
続いてカメラの動作について説明する。図５は静止画データ再生・消去時のカメラ動作を示すフローチャートである。
【００２７】
Ｓ１では、カメラの動作モードに画像再生モードが選択される。再生モードではＣＦ４２やＭＤ４５に記録された画像データを一枚づつ記録順にＬＣＤ３８で再生表示する。
Ｓ２では、再生する画像データが分割されているか否かを判定する。判定はファイルのアドレス００００１Ｃ０〜００００１Ｃ４に分割画像ファイル名が記載されているか否かで行う。画像データが分割されていなければＳ３へ進み、分割されていればＳ４へ進む。
【００２８】
Ｓ３では、画像データをＬＣＤ３８に表示する。
【００２９】
Ｓ４では、分割相手の画像データをファイルのアドレス００００２９０〜００００２９２を解読して特定し、ファイルのアドレス００００２０８〜００００２０Ｅ、００００２８８〜００００２８Ｅを解読して分割された画像データを一体化して図６のようにＬＣＤ３８に表示する。
Ｓ５では、不図示の消去ボタンを操作してＬＣＤ３８に表示された画像データの消去を促す。
Ｓ６では、表示されている画像データが分割画像データか否かを判定し、分割画像データでなければＳ７へ進み、分割画像データであればＳ８へ進む。
【００３０】
Ｓ７では、ＬＣＤ３８に表示されている画像データを消去する。
【００３１】
Ｓ８では、一体化表示されている分割画像データのどの部分を消去するか選択し、両方が選択された場合はＳ９に進み、どちらか一方が選択された場合はＳ１０に進む。
【００３２】
Ｓ９では、ＬＣＤ３８に表示されている分割画像データを全て消去する。
【００３３】
Ｓ１０では、選択された一方の分割画像データを消去する。ここでは下側「ｉｍｇＳ０００２．ｒａｗ」が選択されて消去されたこととする。
【００３４】
Ｓ１１では、消去されなかった分割画像データの分割に関するデータを修正し、再記録する。例えば図７のように、ファイルのアドレス００００１Ｃ０〜００００１Ｃ６、００００２８０〜００００２９１を消去し、ファイル名も本画像データのファイル名に修正しする。
以上の手順により、複数の記録媒体に分割記録された画像データの一方を再生・消去する場合、他方も簡単に再生・消去が可能である。この結果、画像データの一部を欠くことなく全部の所在が常に把握が可能なカメラの画像データ処理方法が実現できる。上記の説明では、画像データを２つに分割していたが、分割数は記録媒体の数以下であればいくらでも構わない。また画像データをＲＡＷモードによるデータで説明したが、ＪＰＥＧやＴＩＦＦ等の画像データであっても何ら問題はない。
【実施例２】
【００３５】
以下、本発明の第２の実施例を図面を参照しながら説明する。デジタルカメラの構成は第１の実施例と同一のため説明は割愛する。
図８はＣＦ４２、ＭＤ４５、固定メモリ４８に記録されている画像データの模式図である。撮影された画像データはまずＣＦ４２から記録されて、ＣＦ４２の記録容量がなくなるとＭＤ４５、ＭＤ４５の記録容量がなくなると固定メモリ４８に記録されるように設けられている。通常、静止画データは「ｉｍｇ＿＊＊＊＊．＊＊＊」、動画データは「ｍｏｖ＿＊＊＊＊．ａｖｉ」というファイル名で記録される。動画データが分割された場合は「ｍｏｖS＊＊＊＊．ａｖｉ」というファイル名で記録される。ここでは、ＣＦ４２に「ｍｏｖＳ０００１．ａｖｉ」、ＭＤ４５に「ｍｏｖＳ０００２．ａｖｉ」、固定メモリ４８に「ｍｏｖＳ０００３．ａｖｉ」というファイル名で分割動画データが記録されている。
ここで動画記録方式について説明する。動画記録方式は音声データ1秒分と1秒間に３０フレームのＳＶＧＡサイズ（８００×６００画素）のＪＰＥＧ画像データを交互に記録するモーションＪＰＥＧを採用しているとする。ファイル構造は図９に示すように、モーションＪＰＥＧ規格に準拠する動画用ファイルである周知のＡＶＩファイルとするためのヘッダ部が形成され、続いて1秒分の音声データからなる音声チャンク及び３０フレーム分のＪＰＥＧ画像データからなる画像チャンクが交互に形成され、最後にインデックスチャンクが形成されている。これによりこの動画データは周知のアプリケーション、例えば「Ｑｕｉｃｋ  Ｔｉｍｅ」等で再生可能となっている。
続いてカメラの動作について説明する。図１０は動画データ再生時のカメラ動作を示すフローチャートである。
Ｓ２０では、カメラの動作モードに動画再生モードが選択される。動画再生モードでは記録媒体に記録された動画データを記録順にＬＣＤ３８に再生表示する。
Ｓ２１では、再生する動画データが分割されているか否かを判定し、動画データが分割されていなければＳ２２へ進み、分割されていればＳ２４へ進む。
【００３６】
Ｓ２２では、再生する動画データの第１フレームをＬＣＤ３８に表示する。
【００３７】
Ｓ２３では、ＬＣＤ３８に表示されている動画データを再生する。
【００３８】
Ｓ２４では、分割相手の動画データを特定し、図１１のように分割された動画データの全ての第１フレームをＬＣＤ３８に表示する。
【００３９】
Ｓ２５では、分割動画データのどの動画データから再生するかを選択する。ここでは「ｍｏｖＳ０００１．ａｖｉ」が選択されたものとする。
【００４０】
Ｓ２６では、分割動画データのどの動画データまで再生するかを選択する。ここでは「ｍｏｖＳ０００３．ａｖｉ」が選択されたものとする。
【００４１】
Ｓ２７では、選択された動画データを連続再生する。ここではＳ２５、Ｓ２６で選択した結果、「ｍｏｖＳ０００１．ａｖｉ」、「ｍｏｖＳ０００２．ａｖｉ」、「ｍｏｖＳ０００３．ａｖｉ」が連続して再生される。
【００４２】
以上の手順により、複数の記録媒体に分割記録された動画データを簡単に連続再生することが可能である。この結果、画像データの一部を欠くことなく全部の所在が常に把握が可能なカメラの画像データ処理方法が実現できる。上記の説明では、記録媒体を３つ備えたカメラで動画データを３つに分割していたが、より多くの記録媒体を備えたカメラの場合の分割数は記録媒体の数以下であればいくらでも構わない。
また画像データサイズはＳＶＧＡサイズとしたが他のいかなるサイズであっても何ら問題はない。また１秒あたりのフレーム数を３０フレームとしたが何フレームであっても構わない。更には動画記録方式もモーションＪＰＥＧに限ったものではなく、ＭＰＥＧ方式や他の方式であっても良い。
【実施例３】
【００４３】
以下、本発明の第３の実施例を図面を参照しながら説明する。デジタルカメラの構成やＣＦ４２及びＭＤ４５に記録されている画像データは第１の実施例と同一として説明を割愛する。
カメラの動作について説明する。図１２は記録媒体取り出し時のカメラ動作を示すフローチャートである。
【００４４】
Ｓ３０では、ストッロ蓋開ＳＷ２６（２７）が操作される。Ｓ３１では、スロット蓋を開こうとしたスロット４１（４４）に装着されたＣＦ４２（ＭＤ４５）に記録された画像データの中に分割画像データが有るかないか判定し、分割画像データが記録されていなければＳ３２へ進み、分割画像データが記録されていればＳ３３へ進む。
Ｓ３２では、スロット蓋４６（４７）を開き、ＣＦ４２（ＭＤ４５）を取り出し可能とする。
【００４５】
Ｓ３３では、スロット蓋４６（４７）を閉じたままとする。
【００４６】
Ｓ３４では、スロット蓋を開こうとしたスロット４１（４４）に装着されたＣＦ４２（ＭＤ４５）に分割画像データが記録されていることをＬＣＤ３８に表示する。
以上の手順により、複数の記録媒体に分割記録された画像データの一部を欠くことを防ぐことが可能である。
【図面の簡単な説明】
【００４７】
【図１】本発明の実施例に係る、デジタルカメラの構成を示すブロック図である。
【図２】本発明の第１の実施例に係る、記録媒体に記録されている画像データの模式図である。
【図３】本発明の第１の実施例に係る、静止画撮影における分割画像データ１のファイル構造である。
【図４】本発明の第１の実施例に係る、静止画撮影における分割画像データ２のファイル構造である。
【図５】本発明の第１の実施例に係る、静止画データ再生・消去時のカメラ動作を示すフローチャートである。
【図６】本発明の第１の実施例に係る、分割画像データの一体表示形態図である。
【図７】本発明の第１の実施例に係る、分割画像データ修正後のファイル構造である。
【図８】本発明の第２の実施例に係る、記録媒体に記録されている画像データの模式図である。
【図９】本発明の第２の実施例に係る、動画撮影における動画データのファイル構造である。
【図１０】本発明の第２の実施例に係る、動画データ再生時のカメラ動作を示すフローチャートである。
【図１１】本発明の第２の実施例に係る、分割動画データの一体表示形態図である。
【図１２】本発明の第３の実施例に係る、記録媒体取り出し時のカメラ動作を示すフローチャートである。
【符号の説明】
【００４８】
２６・２７  スロット蓋開ＳＷ
３０  撮像素子
４１・４４  スロット
４２  ＣＦ
４５  ＭＤ
４６・４７  スロット蓋
４８  固定メモリ
【図１】
2005136924.tif 000003
【図２】
2005136924.tif 000004
【図３】
2005136924.tif 000005
【図４】
2005136924.tif 000006
【図５】
2005136924.tif 000007
【図６】
2005136924.tif 000008
【図７】
2005136924.tif 000009
【図８】
2005136924.tif 000010
【図９】
2005136924.tif 000011
【図１０】
2005136924.tif 000012
【図１１】
2005136924.tif 000013
【図１２】
2005136924.tif 000014